(57)【要約】【課題】  狭小空間のみを利用して所定の位置に搬入でき、既設仮ストラット等に全重量を預けて吊ワイヤを玉外しすることなく構築可能で、また、大規模なブラケットを要することなく設置することが可能な、傾斜を有する柱部材の構築に伴う仮ストラットとその架設工法。【解決手段】  長手方向に連設された少なくとも二つのストラット部材２２ｂ同士が折りたたみ自在に接続されてなる仮ストラットを、ストラット部材２２ｂが折りたたまれた状態で柱部材５，５の間に吊り下ろした後、ストラット部材２２ｂを開いて直線状に組み立てる仮ストラット組立工程と、仮ストラット組立工程において組み立てられた仮ストラットを吊部材にて吊持して柱部材５，５の間に架設する仮ストラット架設工程とを含む仮ストラットとその架設工法。【選択図】      図６
2005299111.tif 000002
【特許請求の範囲】
【請求項１】
上方にいくにつれて互いの間隔が狭まる少なくとも２本の柱部材の施工時において、前記柱部材の基端部に作用する応力を低減するために前記柱部材の間に横設される仮ストラットであって、
長手方向に連設された少なくとも二つのストラット部材からなり、隣接する前記ストラット部材同士が折りたたみ自在に接続されていることを特徴とする仮ストラット。
【請求項２】
ワイヤ固定部材が配設された中央のストラット部材とワイヤ挿通部材が配設された両端のストラット部材とが長手方向に連設されており、
隣接する前記ストラット部材同士がヒンジ部材を介して接続されていることを特徴とする、請求項１に記載の仮ストラット。
【請求項３】
上方にいくにつれて互いの間隔が狭まる少なくとも２本の柱部材の施工時において、前記柱部材の基端部に作用する応力を低減するために前記柱部材の間に横設される仮ストラットの架設工法であって、
前記仮ストラットを、前記柱部材の間に上方から吊り下ろした後に、直線状に組み立てる仮ストラット組立工程と、
前記仮ストラット組立工程において組み立てられた仮ストラットを前記２本の柱部材の間に架設する仮ストラット架設工程とを含み、
前記仮ストラットは、長手方向に連設された少なくとも二つのストラット部材同士が折りたたみ自在に接続されてなり、
前記仮ストラット組立工程において、前記ストラット部材が折りたたまれた状態で前記柱部材の間に吊り下ろされた後、前記ストラット部材を開いて直線状に組み立てられることを特徴とする、仮ストラットの架設工法。
【請求項４】
前記仮ストラット組立工程の前に、前記仮ストラットの左端部と右端部とを前記２本の柱部材の間の所定の位置に載置する端部載置工程を含み、
前記仮ストラット組立工程において、前記端部載置工程で所定の位置に載置された前記左端部と前記右端部との間に、長手方向に連設された少なくとも二つのストラット部材同士が折りたたみ自在に接続されてなる中央部を折りたたまれた状態で上方から吊り下ろした後、前記ストラット部材を開いて前記中央部と前記左端部及び前記右端部とを一体に接続して、前記仮ストラットを直線状に組み立てることを特徴とする、請求項３に記載の仮ストラットの架設工法。
【請求項５】
前記仮ストラット架設工程において、前記柱部材の所定の位置から吊り下ろされた吊部材により前記仮ストラットが吊設されることを特徴とする、請求項３又は請求項４に記載の仮ストラットの架設工法。
【発明の詳細な説明】
【技術分野】
【０００１】
本発明は、傾斜を有している構造物を構築する際に当該構造物を支持するために横設する仮ストラットとその架設工法に関する。
【背景技術】
【０００２】
斜張橋は、その主塔から斜めに張られたケーブル（以下「斜材」という場合がある）により主桁を吊るして支える形式の橋である。その独特なデザインや安定性、また、主桁を主塔から延びる斜材により吊りながら順次架設するため余計な作業が少なく、施工性に優れるとともに比較的工事費が安いこと等により、近年の長大橋は、この斜張橋により構築されるケースが増えている。
【０００３】
これらの斜張橋の主塔の構築は、その形状が特殊な上、高所作業などが伴うため、様々な施工方法が開発され、実用化に至っている。例えば、特許文献１は、主塔の施工に際し、クライミング足場の両端部にタワークレーンを設置し、このタワークレーンによる資材の搬入と型枠の上昇を順次繰り返し行うことで、タワークレーンを支えるステーを無くし、塔構築に伴う設備費の低減を図る、塔状構造物の施工方法が記載されている。
【０００４】
ところで、これらの斜張橋の主塔の中には、その柱部に傾斜を有している場合が多く、このような傾斜を有した柱部材を構築する際に、躯体の自重などによりその脚部に曲げモーメントが作用することが原因によるひび割れが生じることがある。そのため、従来傾斜を有した柱部材の施工時には、仮ストラット（切梁）を設置することにより、当該脚部に逆向きの曲げモーメントを作用させて、柱部材に加わる応力を低減している。また、これらの斜張橋と同様に、傾斜を有した構造物を構築する際にも仮ストラットを設置することがある。
【特許文献１】特開２００３−３２８３２３号公報（［００１４］−［００１９］、図４）
【発明の開示】
【発明が解決しようとする課題】
【０００５】
しかしながら、仮ストラットの設置は、柱部材が傾斜していること、躯体構築用のクライミング足場が存在するためこの狭小空間から吊り下ろせる部材の形状に限度があること、規模が大きな主塔の場合は仮ストラット自体も大きくなりその重量がクレーンの能力を超える場合があること等からその施工は困難であった。
【０００６】
また、仮ストラットを分割することにより狭小空間を通して架設する場合においても、通常、一旦これ等の分割された仮ストラットの部材を既設仮ストラット等に載置して、当該既設仮ストラット上で組み立てた後、吊り上げて架設していた。この場合、仮ストラットの全重量を一旦既設仮ストラット等に預けるため、各仮ストラットを架設するための部材（ブラケット等）には、仮ストラット２体分の重量に対する耐力が必要となり、その構造が大規模になるという問題点を有していた。また、仮ストラットの分割を細かく行うと、左右端の部材を載置する際に、クレーンのワイヤがクライミング足場と干渉する等の問題点も有していた。
【０００７】
さらに、仮ストラットの設置の際に、この仮ストラットの受け台として設置するブラケットについても、規模の大きな仮ストラットを支えるために十分な強度を有する部材厚の厚い鋼材を使用する上に、傾斜した柱部材にあわせて底部の幅を広げた台形状に形成する分、その形状が大型になるため、その設置が煩雑な上、費用がかさむという問題点も有していた。
【０００８】
本発明は、前記の問題点を解決することを目的とするものであり、傾斜した柱部材を有する斜張橋の主塔等の構造物の施工時に当該柱部材を支える仮ストラットの設置について、狭小空間のみを利用して所定の位置に搬入でき、既設仮ストラット等に全重量を預けることなく構築可能で、また、大規模なブラケットを要することなく設置することが可能な、仮ストラットとその架設工法を提案することを課題とする。
【課題を解決するための手段】
【０００９】
前記課題を解決するために、請求項１に記載の発明は、上方にいくにつれて互いの間隔が狭まる少なくとも２本の柱部材の施工時において、前記柱部材の基端部に作用する応力を低減するために前記柱部材の間に横設される仮ストラットであって、長手方向に連設された少なくとも二つのストラット部材からなり、隣接する前記ストラット部材同士が折りたたみ自在に接続されていることを特徴としている。
【００１０】
かかる仮ストラットは、少なくとも二つのストラット部材が折りたたみ自在に接続された構成であるため、クライミング足場等により仮ストラットを吊り下ろす空間が狭小な場合においても、仮ストラットを折りたたむことで前記狭小空間を通過可能な形状にして、吊り下ろすことが可能となる。
【００１１】
また、請求項２に記載の発明は、請求項１に記載の仮ストラットであって、ワイヤ挿通部材が配設された両端のストラット部材と、ワイヤ固定部材が配設された中央のストラット部材とが長手方向に連設されており、隣接する前記ストラット部材同士がヒンジ部材を介して接続されていることを特徴としている。
【００１２】
かかる仮ストラットは、ワイヤ固定部材を有した中央のストラット部材とワイヤ挿通部材を有した両端のストラット部材とがヒンジ部材を介して接続された構成のため、当該仮ストラットを吊るための吊ワイヤ（以下「主ワイヤ」という場合がある）を中央のストラット部材に固定するとともに、ストラット部材折りたたみ用の吊ワイヤ（以下「補助ワイヤ」という場合がある）をワイヤ挿通部材に挿通させてからワイヤ固定部材に固定すれば、主ワイヤと補助ワイヤとを吊り上げるだけでストラット部材がヒンジ部材を軸に回転し引き上げられるため、仮ストラットを自動的に折りたたむことが可能となる。また、仮ストラットの吊り下ろし後は、補助ワイヤを緩めるのみで引き上げられていたストラット部材が広がり元の状態に戻るため、仮ストラットの組み立てが容易である。
【００１３】
また、請求項３に記載の発明は、上方にいくにつれて互いの間隔が狭まる少なくとも２本の柱部材の施工時において、前記柱部材の基端部に作用する応力を低減するために前記柱部材の間に横設される仮ストラットの架設工法であって、前記仮ストラットを、前記柱部材の間に上方から吊り下ろした後に、直線状に組み立てる仮ストラット組立工程と、前記仮ストラット組立工程において組み立てられた仮ストラットを前記２本の柱部材の間に架設する仮ストラット架設工程とを含み、前記仮ストラットは、長手方向に連設された少なくとも二つのストラット部材同士が折りたたみ自在に接続されてなり、前記仮ストラット組立工程において、前記ストラット部材が折りたたまれた状態で前記柱部材の間に吊り下ろされた後、前記ストラット部材を開いて直線状に組み立てられることを特徴としている。
【００１４】
かかる仮ストラットの架設工法により、仮ストラットが折りたたみ自在に接続されているため、折りたたまれた状態で所定の位置に吊り下ろすことが可能となっている。そのため、主塔の構築に伴い設置される足場等により、タワークレーン等を用いて当該仮ストラットを吊り下ろすための空間が狭小な場合でも、その架設が可能となる。
【００１５】
また、請求項４に記載の発明は、請求項３に記載の仮ストラットの架設工法であって、前記仮ストラット組立工程の前に、前記仮ストラットの左端部と右端部とを前記２本の柱部材の間の所定の位置に載置する端部載置工程を含み、前記仮ストラット組立工程において、前記端部載置工程で所定の位置に載置された前記左端部と前記右端部との間に、長手方向に連設された少なくとも二つのストラット部材同士が折りたたみ自在に接続されてなる中央部を折りたたまれた状態で上方から吊り下ろした後、前記ストラット部材を開いて前記中央部と前記左端部及び前記右端部とを一体に接続して、前記仮ストラットを直線状に組み立てることを特徴としている。
【００１６】
かかる仮ストラットの架設工法により、仮ストラットを分割して吊り下ろす場合において、中央部の幅を比較的広く確保しても、その中央部が折りたたまれた状態で吊り下ろせば狭小空間を通過することが可能となる。そのため、仮ストラットの分割数を減らすことが可能となり、仮ストラットの組み立てに要する手間を削減することが可能となる。
【００１７】
また、前記仮ストラット架設工程において、前記柱部材の所定の位置から吊り下ろされた吊部材により前記仮ストラットが吊設されれば、斜めに形成された柱部材に対応して構築されることによりその形状が大きくなるブラケットの取り付けの手間や、材料費を削減することができ、工期及び工事費をともに削減することが可能となる。
【発明の効果】
【００１８】
本発明によれば、傾斜を有する柱部材を構築する際の仮ストラットの架設作業の省力化が可能となるとともに、仮ストラットの架設に要する鋼材量の削減と作業性の向上を図ることが可能となる。
【発明を実施するための最良の形態】
【００１９】
本発明の好適な実施の形態について、図面を参照して説明する。なお、説明において、同一要素には同一の符号を用い、重複する説明は省略する。また、説明における前後左右は、図１の正面図に向かって左右を決定し、手前側を前、奥側を後として、統一するものとする。
【００２０】
図１は、本発明の仮ストラットの架設工法を利用して構築される斜張橋の主塔１を示す正面図であり、図２は、後記する第２仮ストラットの架設後の状況を示す図であり、（ａ）は平面図、（ｂ）は正面図である。
当該主塔１は、主桁Ｂを吊設する斜材が定着される斜材定着部２と、前記斜材定着部２を支える柱部３と、橋脚部Ｐの上に構築されて前記柱部３を支持する主塔基部４とから構成されている。ここで、柱部３は、上方にいくにつれて互いの間隔が狭まる２本の柱部材５，５により構成されている。
【００２１】
本実施の形態では、主塔１の柱部材５，５を構築するに際し、柱部材５，５の間に３体の仮ストラット１０，２０，３０を設置するものとする。この仮ストラット１０，２０，３０は、柱部材５，５が傾斜を有して構築されることにより主塔基部４及び柱部材５，５の脚部（基端部）に加わる応力を低減する。
ここで、柱部材５，５の間に設置される仮ストラット１０，２０，３０を、下から第１仮ストラット１０、第２仮ストラット２０、第３仮ストラット３０とする。
【００２２】
主塔１は、主塔基部４、柱部３、斜材定着部２の順で、下から構築される。この際、施工箇所の上昇に合わせて、作業台や資材の仮置き場として使用されるクライミング足場６０も上昇する。また、各資材は、図示しないタワークレーンにより、クライミング足場６０に搬入される。
【００２３】
また、各仮ストラット１０，２０，３０の架設は、柱部材５，５が、各仮ストラット１０，２０，３０の架設位置より所定の高さ上方まで構築された段階で行われるものとし、第１仮ストラット１０は柱部材５，５に固定されたブラケット４０，４０を利用して架設され、第２仮ストラット２０及び第３仮ストラット３０は吊部材５０を利用して柱部材５，５の間に架設される。なお、本実施の形態による仮ストラット１０，２０，３０は、その左右端の固定部材の圧力により柱部材５，５との間に摩擦力を発生させて水平に固定されるものとし、ブラケット４０及び吊部材５０は、各仮ストラット１０，２０，３０の架設時及び取り外し時に一時的に支持するための部材である。なお、前記固定部材による摩擦力が小さい場合や圧力をかけない場合には、ブラケット４０及び吊部材５０は仮ストラット１０，２０，３０を常時支持する部材となる。また、各仮ストラット１０，２０，３０の架設は、各部材をタワークレーンによりクライミング足場６０の中央部に形成された狭小空間６１から吊り下ろしながら行われる（図２（ａ）参照）。
【００２４】
図２（ａ）に示すように、本実施の形態による第２仮ストラット２０は、両柱部材５，５の間に、前後２箇所で架設されている。同様に、第１仮ストラット１０及び第３仮ストラット３０も、前後２箇所で架設されている。
【００２５】
次に、各仮ストラット１０，２０，３０の架設手順について、第２仮ストラット２０を例として、図３〜図７を参照して説明する。ここで、図３は、第２仮ストラット２０の架設手順を示すフローチャートである。また、図４〜図７は、第２仮ストラットの架設作業における各施工段階を示す図であり、（ａ）は平面図、（ｂ）は正面図である。
本実施の形態にかかる仮ストラットの架設工法は、図３に示すように、端部載置工程Ｓ１と、仮ストラット組立工程Ｓ２と、仮ストラット架設工程Ｓ３とからなり、前記各工程を２回繰り返し行うことにより、図２（ａ）に示すように、第２仮ストラット２０を柱部材５の前後２箇所に設置するものである。
【００２６】
［端部載置工程］
端部載置工程Ｓ１は、図４及び図５に示すように、クライミング足場６０の中央に形成された狭小空間６１を利用して、第２仮ストラット２０の左分割ストラット２１及び右分割ストラット２３を第１仮ストラット１０の上面に仮置き（載置）する工程である。ここで、第２仮ストラット２０は、予め左分割ストラット２１と中分割ストラット２２と右分割ストラット２３とに３分割されており、左分割ストラット２１と右分割ストラット２３は左右対称に略同一形状に形成されている。
【００２７】
図４（ａ）に示すように、左分割ストラット２１の長さは、狭小空間６１の左右の幅及び前後の奥行きよりも長く、狭小空間６１を通過時には、左分割ストラット２１の長手方向を狭小空間６１の対角線上にあわせることにより、左分割ストラット２１の水平を維持したまま図示しないタワークレーンを利用して吊り下ろす。
そして、狭小空間６１を通過した左分割ストラット２１は、図４（ｂ）に示すように、その長手方向が、第１仮ストラット１０と平行になるように回転させた後、左側に寄せて第１仮ストラット１０の上に仮置きする。この際、第１仮ストラット１０の上面には、第２仮ストラット２０を仮置きするための枕木１１が、所定の位置に配置されている。
【００２８】
続いて、左分割ストラット２１と同様の方法により、右分割ストラット２３を、狭小空間６１を通過させて第１仮ストラット１０の上の所定の位置に仮置きする（図５（ａ）及び（ｂ）参照）。
【００２９】
［仮ストラット組立工程］
仮ストラット組立工程Ｓ２は、端部載置工程Ｓ１において、第１仮ストラット１０の上面に仮置きされた左分割ストラット２１と右分割ストラット２３との間に中分割ストラット２２を吊り下ろし、各分割ストラット２１，２２，２３を一体化する工程である（図６参照）。
【００３０】
中分割ストラット２２は、図６（ｂ）に示すように、狭小空間６１の通過時には、中分割ストラット２２の幅が狭小空間６１の幅よりも狭くなるように、左右のストラット部材（以下「翼部材」という）２２ｂ，２２ｂが折れ点２４において上方に折りたたまれた状態で吊り下ろされる。
【００３１】
そして、中分割ストラット２２が狭小空間６１を通過すると、上方に折りたたまれていた左右の翼部材２２ｂ，２２ｂを水平に広げ、図６（ａ）に示すように、後側に平行移動した後、第１仮ストラット１０の上に仮置きされている左分割ストラット２１と右分割ストラット２３の間に載置する。そして、各分割ストラット２１，２２，２３を、ボルト等により一体に接合して、第２仮ストラット２０を構築する。この時、中分割ストラット２２は図示しないタワークレーンから延びる吊り上げ用の主ワイヤ５１により吊り下げられた状態で作業を行い、第１仮ストラット１０に負荷する第２仮ストラット２０の重量を低減させれば、第１仮ストラット１０への負担が低減されて好適である。
【００３２】
［仮ストラット架設工程］
仮ストラット架設工程Ｓ３は、仮ストラット組立工程Ｓ２において組み立てられた、第２仮ストラット２０を、両柱部材５，５の所定の位置に架設する工程である。
【００３３】
第１仮ストラット１０の上面で一体化がなされた第２仮ストラット２０は、図７（ｂ）に示すように、主ワイヤ５１により吊り上げられて、両柱部材５，５の間の所定の位置に架設される。この際、第２仮ストラット２０は、柱部材５，５の所定の位置に予め設置された固定部材案内板４１，４１に第２仮ストラット２０の左右端に予め取り付けられている固定部材２５，２５を合わせるとともに、固定部材案内板４１，４１の上方の所定の位置から吊るされた吊部材５０，５０により吊持した状態で位置決めを行い、固定部材２５，２５により水平に固定される。なお、固定部材２５は、伸縮機能を有した油圧ジャッキなどからなり、当該固定部材２５，２５を左右に伸長させて柱部材５，５に圧着することにより、柱部材５，５との間の摩擦力により第２仮ストラット２０を水平に固定する。なお、主ワイヤ５１は、第２仮ストラットの吊り上げ時のバランスを考慮して配置するものとし、本実施の形態では、４点にて支持するものとする。
ここで、本実施の形態における吊り部材５０は、第２仮ストラット２０の架設時及び取り外し時であって固定部材２５による圧力が柱部材５，５に作用しておらず第２仮ストラット２０が固定されていない時に、一時的に吊持する部材である。ただし、圧力を作用させずに架設する仮ストラットや自重を支持できるだけの摩擦力を得られない圧力の範囲で架設する仮ストラットの場合は、この限りではなく、吊り部材５０により常時吊持することとなる。
【００３４】
同様の作業を繰り返し行い、柱部材５，５の間の同じ高さの前側にも第２仮ストラットを架設する（図２（ａ）参照）。
【００３５】
なお、第１仮ストラット１０及び第３仮ストラット３０の架設についても、前記第２仮ストラット２０の架設工法と略同様の方法により行うことが可能である。
ここで、第２仮ストラット２０の架設時には、仮ストラット架設工程において吊り部材５０，５０により吊持した状態で位置決めを行ったが、第１仮ストラットの架設時には、柱部材５，５に固定されたブラケット４０，４０に第１仮ストラットを架設した状態で、位置決めを行うものとする。
また、第３仮ストラット３０の組立時における左右の分割ストラットの仮置きは、第２仮ストラット２０の上面で行うことが可能である。
【００３６】
次に、中分割ストラット２２の細部の構成について説明する。
図８は、中分割ストラット２２の折れ点２４の拡大図であり、同図に示すように、中分割ストラット２２は、その折れ点２４において中部材（ストラット部材）２２ａと左右の翼部材２２ｂ，２２ｂとがヒンジ部材２６を介して接続されている。ここで、図８には中部材２２ａと右側の翼部材２２ｂとの折れ点２４のみが記載されているが、当該中分割ストラット２２は左右対称に構成されており、中部材２２ａと左側の翼部材２２ｂとの折れ点２４も同様に構成されている。
【００３７】
この構成により、左右の翼部材２２ｂ，２２ｂは、中部材２２ａに対して、９０°回転が可能となっている。また、中部材２２ａと翼部材２２ｂには、ヒンジ部材２６から所定の間隔をあけてそれぞれ吊ピース２７ａ，２７ｂが固定されている。中分割ストラット２２を吊り下ろす際に、補助ワイヤ２９は、その一方の端部が中部材２２ａの吊ピース２７ａに取り付けられたシャックル（ワイヤ固定部材）２８ａに固定されており、他方の端部は、翼部材２２ｂに固定された吊ピース２７ｂのシャックル（ワイヤ挿通部材）２８ｂに挿通され、主ワイヤ５１とともに、タワークレーンにより吊り上げられている（図６（ｂ）参照）。この構成により、補助ワイヤ２９を吊り上げることで、翼部材２２ｂに固定された吊ピース２７ｂは中央上方向に引き上げられるため、翼部材２２ｂはヒンジ部材２６を軸に上方向に回転して上方に立ち上がる。また、中分割ストラット２２を左分割ストラット２１と右分割ストラット２３との間に載置し、補助ワイヤ２９の張力を緩めると、上方に引き上げられていた翼部材２２ｂが水平に広がり、中分割ストラット２２が左右の分割ストラット２１，２３と接続可能となる。
【００３８】
前記の通り、本発明の仮ストラット架設工法は、仮ストラットをクライミング足場６０の中央に形成された狭小空間６１を通過可能な大きさに３分割するため、タワークレーンにより吊り下ろす際にも、主ワイヤ５１がクライミング足場と干渉することもなく、作業を行うことが可能となる。また、中分割ストラット２２は、折れ点２４を有しているため、中分割ストラット２２の幅を多少広く構成しても、折れ点２４において両翼部２２ｂを上方に立てることにより、狭小空間６１を通過可能となる。
【００３９】
また、中分割ストラット２２の折れ点の構成によれば、補助ワイヤ２９により吊り上げることで、翼部２２ｂが立ち上がり、所定の位置に載置することで翼部２２ｂが広がる構成のため、特殊な作業や人員を要することなく、中分割ストラット２２の搬入が可能となる。
【００４０】
また、仮ストラットの架設部材として、吊部材５０を使用したことにより、柱部材５の傾斜に合せて、その底部が広がるブラケットの設置作業に要する手間や鋼材費を削減することが可能となる。また、吊部材５０を利用した架設は、仮ストラットを垂直に吊り上げた後、吊部材５０を仮ストラットの所定の位置に取り付けるのみで完了するため、仮ストラットを前後に移動することでブラケットをかわし、一旦仮ストラットをブラケットよりも高い位置まで上げた後、仮ストラットの前後位置を戻して、ブラケットに載置する方法に比べて、作業が容易である。
【００４１】
以上、本発明について、好適な実施形態について説明したが、本発明は前記実施形態に限られず、本発明の趣旨を逸脱しない範囲で適宜設計変更が可能である。
例えば、前記実施の形態では斜張橋の主塔の傾斜を有する柱の構築について本発明の仮ストラットの架設工法を採用するものとしたが、上方にいくに従いその間隔が狭まる柱を有する構造物であれば、斜張橋の主塔に限定されるものではないことは言うまでもない。
また、前記実施の形態では２本の柱が互いに傾斜を有していたが、これに限定されるものではなく、どちらか一方が傾斜を有して上方にいくに従い互いの間隔が狭まる構造物の構築の際に本発明の仮ストラットの架設工法を適用しても良い。
【００４２】
また、前記実施の形態では、第１仮ストラットの架設を左右の柱部材に固定されたブラケットを介して行うものとしたが、第２仮ストラット及び第３仮ストラットと同様に吊り部材により架設してもよく、その架設に使用する部材は、限定されるものではない。
また、各仮ストラットを吊持する吊部材は、形式、形状等は限定されるものではなく、仮ストラットを吊持する能力を有しているもの中から、現場の状況に応じて適宜選定して使用する。
【００４３】
また、前記実施の形態では、仮ストラットを３分割して、柱部材の間に吊り下ろした後組み立てる構成としたが、仮ストラットの分割数は限定されるものではなく、仮ストラット組立工程において仮置きする既設部材の強度、組立作業に要する手間、揚重機械の能力等を考慮して適宜設定する。
また、前記実施の形態では、仮ストラットを３体架設するものとしたが、左右の柱部材の基端部に作用する応力を制御することが可能であれば、架設する仮ストラットの数は限定されるものではない。同様に、各仮ストラットは、それぞれ前後方向に２体架設するものとしたが、架設する仮ストラットの数は限定されるものではなく、柱部材の構造等の応じて適宜設定する。
【００４４】
また、前記実施の形態では、ヒンジ部材により中分割ストラットを左右２箇所で折りたたむ構成としたが、中分割ストラットが狭小空間を通過可能に折りたためる構成であれば、その方式及び箇所数は限定されるものではない。
また、前記実施の形態では主ワイヤを利用して補助ワイヤを引き上げるとともに両翼部が引き上げられる構成としたが、例えば手動により翼部を開閉させてもよいことはいうまでもなく、その方法は限定されるものではない。
また、前記実施の形態では、左右の翼部材にワイヤ挿通部材、中部材にワイヤ固定部材を設置する構成としたが、例えば左右の翼部材にも中部材と同様にワイヤ固定部材を設置して、左右の翼部材には短めの吊ワイヤ、中部材には長めの吊ワイヤをそれぞれ固定することにより、翼部材を引き上げて折りたたむ構成とするなど、中部材と翼部材との接合部の構成は限定されるものではない。
さらに、各分割ストラットの接合方法は、ボルトによる締着に限定されるものではない。
【図面の簡単な説明】
【００４５】
【図１】本発明の仮ストラットの架設工法を利用して構築される斜張橋の主塔を示す正面図である。
【図２】仮ストラットの架設工法における第２仮ストラットの架設後の状況を示す図であり、（ａ）は平面図、（ｂ）は正面図である。
【図３】本発明の仮ストラットの架設工法の作業手順を示すフローチャートである。
【図４】仮ストラットの架設工法における左端部の吊り下ろし手順を示す図であり、（ａ）は平面図、（ｂ）は正面図である。
【図５】仮ストラットの架設工法における左端部及び右端部の仮置き状況を示す図であり、（ａ）は平面図、（ｂ）は正面図である。
【図６】仮ストラットの架設工法における中央部の載置手順を示す図であり、（ａ）は平面図、（ｂ）は正面図である。
【図７】仮ストラットの架設工法における第２仮ストラットの架設手順を示す図であり、（ａ）は平面図、（ｂ）は正面図である。
【図８】第２仮ストラットの中央部の折れ点の詳細を示す図である。
【符号の説明】
【００４６】
１      主塔
２      斜材定着部
３      柱部
４      主塔基部
５      柱部材
１０    第１仮ストラット
２０    第２仮ストラット
２１    左分割ストラット（左端部）
２２    中分割ストラット（中央部）
２２ａ  中部材（ストラット部材）
２２ｂ  翼部材（ストラット部材）
２３    右分割ストラット（右端部）
２４    折れ点
２６    ヒンジ部材
２７ａ  吊ピース（ワイヤ固定部材）
２７ｂ  吊ピース（ワイヤ挿通部材）
２８ａ  シャックル（ワイヤ固定部材）
２８ｂ  シャックル（ワイヤ挿通部材）
２９    補助ワイヤ
３０    第３仮ストラット
５０    吊部材
５１    主ワイヤ
６１    狭小空間
Ｂ      主桁
Ｐ      橋脚部
【図１】
2005299111.tif 000003
【図２】
2005299111.tif 000004
【図３】
2005299111.tif 000005
【図４】
2005299111.tif 000006
【図５】
2005299111.tif 000007
【図６】
2005299111.tif 000008
【図７】
2005299111.tif 000009
【図８】
2005299111.tif 000010